(57)【要約】【課題】従来のスピーカシステム（音声呼出装置）では、放送する者の判断のみで、スピーカの指向性を切り替えていたため、スピーカの指向性を狭くした状態で音声信号を再生しようとした場合に、通知対象者が確実に音声信号を聴取可能な状況にあるか否かを確認できず、また目的の通知対象者でない人にも不必要に用件が伝ってしまう不都合があった。【解決手段】スピーカの指向性を狭くした状態で音声信号を再生する場合に、出力される音声信号を聴取可能な位置に人が存在しているか否かを検知する人存在検知手段と、該所定位置にいる人物が目的の通知対象者であるか否かを検知する個人識別情報読取手段と対象者判定手段を有して、所定位置に目的の通知対象者が確実に存在していることが確認できた場合に、スピーカの指向性を狭くした状態で音声信号を再生する。【選択図】図１
2012151810.tif 000002
【特許請求の範囲】
【請求項１】
所定のエリアに再生音声を到達させるスピーカによる再生音声の指向性を切り替える機能を備えた音声呼出装置であって、
前記スピーカによる再生音声の指向性を広くするか狭くするかを切り替える指向性切替手段と、  前記指向性切替手段が前記スピーカによる再生音声の指向性を狭くした場合の当該再生音声を聴取可能な予め定められた聴取位置に人が存在しているか否かを検知する人存在検知手段と、を有し、
前記人存在検知手段が前記聴取位置に人が存在していないことを検知している場合に前記指向性切替手段は前記スピーカによる再生音声の指向性を広くするように切り替え、前記人存在検知手段が前記聴取位置に人が存在していることを検知している場合に前記指向性切替手段は前記スピーカによる再生音声の指向性を狭くするように切り替えることを特徴とする指向性切替機能を有する音声呼出装置。
【請求項２】
請求項１記載の音声呼出装置において、
呼び出す対象者を指定する対象者指定手段と、前記聴取位置に存在している人が所持する個人識別情報を読み取る個人識別情報読取手段と、前記個人識別情報読取手段が読み取った個人識別情報は前記対象者指定手段が指定した対象者に対応しているか否かを判定する対象者判定手段と、を更に有し、
前記人存在検知手段が人の存在を検知した場合に、前記個人識別情報読取手段は前記聴取位置に存在している人が所持する個人識別情報を読み取り、前記対象者判定手段が前記読み取った個人識別情報は前記対象者指定手段が指定した対象者に対応していると判定したならば、前記指向性切替手段は前記スピーカによる再生音声の指向性を狭くするように切り替え、
前記対象者判定手段が前記読み取った個人識別情報は前記対象者指定手段が指定した対象者に対応していないと判定したならば、前記指向性切替手段は前記スピーカによる再生音声の指向性を広くするように切り替えることを特徴とする指向性切替機能を有する音声呼出装置。
【請求項３】
請求項１又は２に記載の音声呼出装置において、
前記スピーカは、超音波信号で変調された音声信号を再生することにより再生音声の指向性を狭くする機能を備えるスピーカであって、
前記指向性切替手段は、前記音声信号を前記超音波信号で変調するか否かを制御することによって指向性を広くするか狭くするかを切り替えることを特徴とする指向性切替機能を有する音声呼出装置。
【発明の詳細な説明】
【技術分野】
【０００１】
本発明は、通知対象者の所在や個人を認識できた場合に、スピーカの指向性を切り替えて音声信号を報知することを可能とした音声呼出装置に関する。
【背景技術】
【０００２】
従来のスピーカの指向性切替機能を有する音声呼出装置（スピーカシステム）では、報知する者が通知内容を判断して、スピーカの指向性を広くするか狭くするかを切り替えていた。このことは特許文献１で示されている。
【先行技術文献】
【特許文献】
【０００３】
【特許文献１】特開２００２−２７５８６号公報
【発明の概要】
【発明が解決しようとする課題】
【０００４】
しかし従来のスピーカシステムでは、報知する者の判断のみによって、スピーカの指向性を切り替えていたため、指向性を狭くした状態で音声を再生した場合に、通知対象者が確実に音声を聴取可能なエリアにいるか否かを確認できず、目的の通知対象者に確実に用件を伝えられなかったり、目的の通知対象者以外の人にも不必要に用件が伝わってしまうなどの不都合があった。
【０００５】
本発明は、上記課題に鑑みなされたものであって、本発明の目的は、特定の通知対象者が確実に音を聴取可能な状況であることを確認した上で、スピーカの指向性を制御する技術を提供することにある。
【課題を解決するための手段】
【０００６】
そこで本発明では、所定のエリアに再生音声を到達させるスピーカによる再生音声の指向性を切り替える機能を備えた音声呼出装置であって、前記スピーカによる再生音声の指向性を広くするか狭くするかを切り替える指向性切替手段と、前記指向性切替手段が前記スピーカによる再生音声の指向性を狭くした場合の当該再生音声を聴取可能な予め定められた聴取位置に人が存在しているか否かを検知する人存在検知手段と、を有し、前記人存在検知手段が前記聴取位置に人が存在していないことを検知している場合に前記指向性切替手段は前記スピーカによる再生音声の指向性を広くするように切り替え、前記人存在検知手段が前記聴取位置に人が存在していることを検知している場合に前記指向性切替手段は前記スピーカによる再生音声の指向性を狭くするように切り替えることを特徴とする。  
【発明の効果】
【０００７】
本発明によれば、指向性を狭くした状態で再生した音声を聴取可能な位置に人が存在するか否か判断する、また通知対象者から受信した個人識別情報と予め記憶されている個人識別情報とを照合することで、指定した通知対象者が聴取位置にいることを特定した上で、用件を報知することにより、目的の通知対象者に対して確実に用件を伝えることが可能となる。
【０００８】
また超音波再生（超指向性）スピーカを用いた場合、前記指向性制御手段は、超音波信号によって音を変調するか否かを制御することにより、指向性を狭くするか広くするかを切り替えることができ、ひとつの超音波再生スピーカで指向性の切替が可能となり、スピーカシステム（音声呼出装置）を小型化することができる。
【図面の簡単な説明】
【０００９】
【図１】は、本発明による音声呼出装置のブロック構成を示す図である。
【図２】は、本発明による音声呼出装置の制御部の動作フローチャートである。
【図３】は、識別情報記憶部の記憶内容例を示す図である。
【発明を実施するための形態】
【００１０】
以下、図面を用いて本発明の実施例を説明する。
【００１１】
図１は、本発明による音声呼出装置のブロック構成を示す図である。
【００１２】
本発明による音声呼出装置４には、広い指向性で音声信号を出力するスピーカ４２０と、狭い指向性で音声信号を出力する超音波再生スピーカ４３０を備え、マイク５から入力された音声信号を音声信号入力部４１０で受信し、指向性制御部４１１でスピーカ４２０または超音波再生スピーカ４３０のいずれかのスピーカを選択し、入力された音声信号を信号増幅部４２１または４３１で適切な音量に増幅して、それぞれのスピーカから放送エリア１aまたは通知エリア１ｂに送出する。
【００１３】
音声呼出装置４の操作部４０２には、通知対象者を選択し呼出動作（放送）の開始を指示する複数の通知対象者選択呼出ボタンと、呼出動作の中止を指示する呼出中止ボタンを有しており、特定の通知対象者選択呼出ボタンが押下されたことを制御部４０１で検知すると、表示部４０３より通常呼出状態であることを表示する。
【００１４】
また指向性制御部４１１に指示して、スピーカ４２０と信号増幅部４２１を有効にして、音声信号入力部４１０で入力した音声信号を、スピーカ４２０から広い指向性の音声信号２として広い放送エリア１ａに出力する。
【００１５】
この状態では、マイク５より入力された音声信号は、広い放送エリア１ａに向けて送出されるため、報知内容は特定の通知対象者を呼び出し、狭い指向性で音声信号を出力する超音波再生スピーカ４３０からの音声信号を聴取可能な位置（通知エリア１ｂ）に移動することを促す内容とする。
【００１６】
尚、本音声呼出装置４によって呼び出された通知対象者は、床面や天井や壁面等の表示やあらかじめ設置された構造物等で示される超音波再生スピーカ４３０からの音声信号を聴取可能な位置（通知エリア１ｂ）に移動することによって、本人以外に用件を聴取されないよう行動する。
【００１７】
次に、センサ５０と人存在検知部４０５によって、狭い指向性で音声信号を出力する超音波再生スピーカ４３０からの音声信号３を聴取可能な位置（通知エリア１ｂ）に人が存在していることを検知した場合、制御部４０１は、受信機６０と個人識別情報検知部４０６を有効にして、通知エリア１ｂにいる通知対象者が所持する個人識別情報送信機１１から送信された個人識別情報を検知（受信）する。
【００１８】
次に、操作部４０２によって選択した通知対象者と個人識別情報検知部４０６で検知した個人識別情報とを、図３に示す識別情報記憶部４０７に記憶された通知対象者選択呼出ボタンの選択肢（Ｖ４０７１）と個人識別情報（Ｖ４０７２）を元に照合し、選択した通知対象者と受信した個人識別情報とが一致するかを判断し、一致した場合は、表示部４０３に対して図３に示す識別情報記憶部４０７に記憶された対応する通知対象者名称（Ｖ４０７３）を表示する。
【００１９】
また指向性制御部４１１に指示して、超音波再生スピーカ４３０と信号増幅部４３１を有効にして、音声信号入力部４１０で入力した音声信号を、スピーカ４３０から狭い指向性の音声信号３として出力する。
【００２０】
尚、超音波再生スピーカ４３０から出力される音声信号は、信号変調部４３２において、音声信号入力部４１０で入力した音声信号を、超音波生成部４３３で生成された超音波信号で変調したものであり、また複数の超音波再生スピーカ４３０を並列に設置するケースもある。これら超音波変調された音声信号は、その特性上、極めて狭い指向性が得られる。この技術は、いわゆる「パラメトリックスピーカ」の原理を利用したものである。
【００２１】
この状態では、マイク５より入力される音声信号は、狭い通知エリア１ｂに向けて送出されるため、報知内容は特定の通知対象者のみに伝えたい用件とする。
【００２２】
尚、本実施例では、通常のスピーカ４２０と超音波再生スピーカ４３０を切り替えることによって、再生する音声信号の指向性を切り替えているが、超音波再生スピーカのみを用いて、その超音波変調を行うか否かを制御することで、再生する音声信号の指向性を切り替えてもよい。
【００２３】
図２は、本発明による音声呼出装置の制御部の動作フローチャートである。
【００２４】
本音声呼出装置に電源が投入されると、制御部４０１は、図示しないが各機能部を初期化し、指向性制御部４１１に指示してスピーカ４２０と信号増幅部４２１と超音波再生スピーカ４３０と信号増幅部４３１を無効とし音声信号の出力を停止し、表示部４０３より待機状態（呼出停止）を表示した後、待機状態（Ｓ４０００）に移行する。
【００２５】
待機状態（Ｓ４０００）において、操作部４０２で特定の通知対象者を指定する通知対象者選択呼出ボタンが押下されたことを制御部４０１で検知すると（Ｓ４００１，Ｙ）、呼出状態の継続を監視する呼出状態監視タイマ（例として６０秒）を起動し（Ｓ４００２）、表示部４０３より通常呼出状態（広い指向性モード）であることを表示した後（Ｓ４００３）、スピーカ４２０と信号増幅部４２１を有効とするよう指向性制御部４１１に指示して、音声入力部４１０から入力された音声信号を広い指向性を呈するスピーカ４２０から音声信号２として放送エリア１ａに出力する（Ｓ４００４）。
【００２６】
次に、呼出状態継続監視タイマが満了せず（Ｓ４０１０，Ｎ）、呼出中止ボタンが押下されない状態において（Ｓ４０１１，Ｎ）、人存在検知部４０５とセンサ５０によって通知エリア１ｂに人が存在していることを検知した場合（Ｓ４０３１，Ｙ）、個人識別情報検知部４０６と受信機６０を有効にし、通知エリア１ｂにいる通知対象者が所持する個人識別情報送信機１１より送信された個人識別情報を検知（受信）した場合（Ｓ４０３２，Ｙ）、図３に示す識別情報記憶部４０７に記憶された前記押下した通知対象者選択呼出ボタン（Ｖ４０７１）に対応する個人識別情報（Ｖ４０７２）と前記受信した個人識別情報とを照合し、一致したと判断した場合（Ｓ４０３３，Ｙ）、指向性制御部４１１に指示して、スピーカ４２０と信号増幅部４２１を無効とし（Ｓ４０４１）、通知状態の継続を監視する通知状態監視タイマ（例として９０秒）を起動し（Ｓ４０４２）、表示部４０３より対応する通知対象者名称（図３のＶ４０７３）を表示した後（Ｓ４０４３）、スピーカ４３０と信号増幅部４３１を有効とするよう指向性制御部４１１に指示して、音声入力部４１０から入力された音声信号を狭い指向性を呈する超音波再生スピーカ４３０から音声信号３として通知エリア１ｂに出力する（Ｓ４０４４）。
【００２７】
次に、通知状態継続監視タイマが満了した場合（Ｓ４０５１，Ｙ）、または操作部４０２において呼出中止ボタンが押下されたことを検知した場合（Ｓ４０５２，Ｙ）、または個人識別情報検知部４０６が対象の個人識別情報を受信できなくなった場合には（Ｓ４０５３，Ｎ）、表示部４０３より待機状態（呼出停止）を表示した後（Ｓ４０６１）、スピーカ４３０と信号増幅部４３１を無効とするよう指向性制御部４１１に指示して、超音波再生スピーカ４３０からの音声信号出力を中止して（Ｓ４０６２）、待機状態（Ｓ４０００）に戻る。
【００２８】
また、ステップ４０１０及びステップ４０１１において、呼出状態継続監視タイマが満了した場合（Ｓ４０１０，Ｙ）または操作部４０２において呼出中止ボタンが押下されたことを検知した場合（Ｓ４０１１，Ｙ）には、表示部４０３より待機状態（呼出停止）を表示した後（Ｓ４０２１）、スピーカ４２０と信号増幅部４２１を無効とするよう指向性制御部４１１に指示して、スピーカ４２０からの音声信号出力を中止して（Ｓ４０２２）、待機状態（Ｓ４０００）に戻る。
【００２９】
尚、本実施例では、通知対象者選択呼出ボタンの押下によって１名の通知対象者を呼出し、用件を通知するものとして示しているが、１ないし複数の通知対象者選択呼出ボタンを押下することで、複数の通知対象者を指定するよう構成してもよい。
【符号の説明】
【００３０】
１ａ  放送エリア  
１ｂ  通知エリア
２  広い指向性の音声信号
３  狭い指向性の音声信号
４  本発明による音声呼出装置
５  マイク
１１  個人識別情報送信機
５０  センサ
６０  受信機
４０１  制御部
４０２  操作部
４０３  表示部
４０５  人存在検知部
４０６  個人識別情報検知部
４０７  識別情報記憶部
４１０  音声信号入力部
４１１  指向性制御部
４２０  スピーカ
４２１  信号増幅部
４３０  超音波再生スピーカ
４３１  信号増幅部
４３２  信号変調部
４３３  超音波生成部
【図１】
2012151810.tif 000003
【図２】
2012151810.tif 000004
【図３】
2012151810.tif 000005